(57)【要約】【課題】  内箱の側面に基板収納部材を埋設する構造では、操作部が内箱の側壁面にあるため、操作部を目視するのには、冷蔵庫箱体開口より覗き込まなければならず、操作部の目視がし難く、操作のし難い場合があった。【解決手段】  外板と内板との間に断熱部を備えて前面が開口する箱体を開閉する扉を備えた冷蔵庫において、前記扉の内板表面側に露出する操作部と前記操作部と接続する基板部とを有する基板収納部材と、前記基板収納部材と前記断熱部との間を仕切る仕切部材とを備えた。【選択図】  図１
2006046771.tif 000002
【特許請求の範囲】
【請求項１】
外板と内板との間に断熱部を備えて前面が開口する箱体を開閉する扉を備えた冷蔵庫において、前記扉の内板表面側に露出する操作部及び前記操作部と接続する基板部を有する基板収納部材と、前記基板収納部材と前記断熱部との間を仕切る仕切部材とを備えた冷蔵庫。
【請求項２】
箱体開口前面に扉を有し、この扉の内側壁を構成する扉内板を設置した冷蔵庫において、
前記扉内板の両側辺と並設して設けられ、内部に空間を有する複数の凸部と、
この凸部表面に露出して設置され、冷蔵庫の運転を操作する複数種類の操作スイッチ及びこの操作スイッチにより制御され、前記空間内に基板部が配設される基板収納部材と、
を備えた冷蔵庫。
【請求項３】
外板と内板との間に断熱部を備えて前面が開口する箱体を開閉する扉を備えた冷蔵庫において、
前記扉内板の両側辺と並設して設けられ、内部に空間を有する複数の凸部と、
この凸部表面に露出して設置され、冷蔵庫の運転を操作する複数種類の操作スイッチ及びこの操作スイッチにより制御され、前記空間内に基板部が配設される基板収納部材と、
前記空間と前記断熱部との間を仕切る仕切部材とを備え、
前記仕切部材は前記凸部の側面部の前記空間側をも覆い、この仕切部材によって覆われた前記側面部に前記基板部が設置される冷蔵庫。
【請求項４】
扉内板下部に食品収納ポケットを傾斜して備え、前記ポケットよりも上方に位置する収納部と前記食品収納ポケットとの間に、前記基板収納部材を設置したことを特徴とする請求項１又は２に記載の冷蔵庫。
【請求項５】
前記食品収納ポケットは、頭部が胴部より細くなった円柱形、あるいは角柱形の食品を貯蔵する食品収納部であり、この食品収納部の頭部収納位置相当部に前記基板収納部材を設置したことを特徴とする請求項４に記載の冷蔵庫。
【請求項６】
観音開き式扉を有する冷蔵庫において、この観音開き式扉の扉内板の両側辺と並設して設けられる凸部を備え、前記操作部は、前記凸部のうち、ヒンジ側から遠い側に形成される凸部の反ヒンジ側の側面に設置された請求項２又は３に記載の冷蔵庫。
【発明の詳細な説明】
【技術分野】
【０００１】
本発明は、操作部を有する冷蔵庫に関する。
【背景技術】
【０００２】
操作部を有した冷蔵庫の従来技術例として、特許文献１に記載のように冷蔵庫内箱の側面に基板収納部材が配置されたものがある。この基板収納部材の表面に操作部を備え、裏面には基板が固定されており、使用者はこの操作部によって冷蔵庫の庫内温度の調節操作を行う。
【０００３】
また、扉内壁の従来方式構造例としては、特許文献２の図２及び明細書記載のように、収納物を収納するポケットを上下２段に形成し、上段ポケットの前段底面部と後段底面部で高さを変化させて、下段ポケットに収納する収納物を、前記上段ポケットの前段底面部の高さと後段底面部の高さの間としていた。
【０００４】
【特許文献１】特開2003-176979
【０００５】
【特許文献２】特開2003-130541
【発明の開示】
【発明が解決しようとする課題】
【０００６】
上述の特許文献１は、基板収納部材が貯蔵食品を収納する内箱の側面に形成された空間に埋設されるが、基板収納部材の表面に形成される操作部が、内箱の側壁面にあるため、操作部を目視するのには、冷蔵庫箱体開口より覗き込まなければならないので、操作部の目視がし難い場合があった。
【０００７】
また、操作部を操作するときに、冷蔵庫箱体開口より、操作者の手を箱体内に挿入しなければならず、操作が容易でない場合があった。また、操作部が貯蔵食品を収納する内箱の側面にあるため、貯蔵食品の出し入れ時に貯蔵食品が操作部に当接して、貯蔵食品を傷めるおそれがあった。
【０００８】
特許文献１と類似の従来方式構造例である図１１を用いて説明する。内箱の側壁面１ａに設置された基板収納部材５の表面には操作部５ａが形成されている。内箱内に貯蔵された貯蔵食品の出し入れ時に貯蔵食品が操作部５ａに当接すると、食品を傷めることとなると共に、操作部５ａの設定値を変化させてしまうおそれがあった。
【０００９】
また、基板収納部材５を埋設するための空間部４を、内箱の側壁内に形成するため、側壁の断熱材厚さに、空間部４の深さ寸法ｔ１分だけの厚さ変化が生じてしまう。そして、冷蔵庫用断熱材として断熱性能の良好な、かつ、比較的安価なウレタン等の断熱材を発泡充填して使用する場合は、前述の断熱材厚さの変化は、ウレタン等の原液を断熱壁の隅々まで均一に充填させるための大きな弊害であることは、当業者の良く知るところである。
【００１０】
なお、前述の基板収納部材５を埋設するため、この基板収納部材５が埋設される側壁部の部分の断熱材厚さ寸法ｔ２が薄くなり、このｔ２寸法部よりの熱漏洩量が増加するおそれがある。この熱漏洩量を低減するために、ｔ２寸法部の断熱材としてウレタン断熱材より断熱性能の優れた真空断熱材３を使用すると、図１１に示すように、この真空断熱材３の配設される部分２ｂのウレタン断熱厚さｔ３がますます薄くなってしまう。すなわち、ウレタン等の断熱材を発泡充填する場合には、真空断熱材３も障害となることから、前述の断熱材厚さの変化が大きくなり、ウレタン等の発泡断熱材を充填できなくなるおそれがあった。
【００１１】
一方、扉内壁の従来方式構造例である特許文献２の構造では、下段ポケットの上部で、かつ、上段ポケットの下部に食品を貯蔵できないデッドスペースが発生する場合があった。特許文献２と類似の従来方式構造例である図１２について説明する。下段ポケット１３に収納されたペットボトル類の食品１６の頭部１６ａが、上段ポケット１２の前段底面部１２ｄと後段底面部１２ｌの間に位置して収納されると、ペットボトルの扉内板側部１６ｂと扉内板１０ａとの間がデッドスペースとなる。このとき、食品１６を扉内板側に押込んだとしても、頭部１６ａが仕切り板１２ｇに当接するために扉体１０と食品１６との間にデッドスペース部Ｅが発生してしまい、このデッドスペース部Ｅが有効活用されない場合があった。
【００１２】
本発明は、このような従来の構成が有していた課題を解決しようとするものであり、操作性、収納性に優れた冷蔵庫を提供することを目的とする。
【課題を解決するための手段】
【００１３】
上記の目的を達成するために、外板と内板との間に断熱部を備えて前面が開口する箱体を開閉する扉を備えた冷蔵庫において、本発明は前記扉の内板表面側に露出する操作部及び前記操作部と接続する基板部を有する基板収納部材と、前記基板収納部材と前記断熱部との間を仕切る仕切部材とを備えた。
【００１４】
また、箱体開口前面に扉を有し、この扉の内側壁を構成する扉内板を設置した冷蔵庫において、前記扉内板の両側辺と並設して設けられ、内部に空間を有する複数の凸部と、この凸部表面に露出して設置され、冷蔵庫の運転を操作する複数種類の操作スイッチ及びこの操作スイッチにより制御され、前記空間内に基板部が配設される基板収納部材と、を備えた。
【００１５】
また、外板と内板との間に断熱部を備えて前面が開口する箱体を開閉する扉を備えた冷蔵庫において、前記扉内板の両側辺と並設して設けられ、内部に空間を有する複数の凸部と、この凸部表面に露出して設置され、冷蔵庫の運転を操作する複数種類の操作スイッチ及びこの操作スイッチにより制御され、前記空間内に基板部が配設される基板収納部材と、前記空間と前記断熱部との間を仕切る仕切部材とを備え、前記仕切部材は前記凸部の側面部の前記空間側をも覆うように構成し、この仕切部材によって覆われた前記側面部に前記基板部を設置した。
【００１６】
また、扉内板下部に食品収納ポケットを傾斜して備え、前記ポケットよりも上方に位置する収納部と前記食品収納ポケットとの間に、前記基板収納部材を設置した。
【００１７】
また、前記食品収納ポケットは、頭部が胴部より細くなった円柱形、あるいは角柱形の食品を貯蔵する食品収納部であり、この食品収納部の頭部収納位置相当部に前記基板収納部材を設置した。
【００１８】
また、観音開き式扉を有する冷蔵庫において、この観音開き式扉の扉内板の両側辺と並設して設けられる凸部を備え、前記操作部を前記凸部のうち、ヒンジ側から遠い側に形成される凸部の反ヒンジ側の側面に設置した。
【発明の効果】
【００１９】
本発明によれば、操作性に優れた操作部を有し、収納性に優れた冷蔵庫を提供することができる。
【発明を実施するための最良の形態】
【００２０】
以下、本発明の実施形態を図を用いて詳細に説明する。
【実施例１】
【００２１】
図１は本発明の第一の実施例を示す扉の斜視図であり、図２は図１のＡ−Ａ線要部断面図である。冷蔵庫箱体（図示せず）の開口前面に開閉可能に設置された扉２０は、外表面となる外板２０ｂと内壁を構成する扉内板２１とを有し、この外板２０ｂと扉内板２１との間にはウレタン等の発泡断熱材や真空断熱材が配設される断熱部２０ｃが構成されている。扉内板２１には、この扉内板２１と一体或いは別体に形成された凸部２２が設けられている。この凸部２２は、扉内板２１の外縁側近傍に設けられており、扉内板２１の一辺と並設して略平行な土手状に設けられている。本実施例では下側の一辺と略平行に形成された下外縁凸部２２ａ、側方の一辺と略平行に形成された側外縁凸部２２ｂとによって構成されている。この凸部２２によって囲まれた部分は食品収納部２０ａを構成することとなり、この食品収納部２０ａにはポケット２３が備えられ、本実施例ではこのポケット２３は両側の側外縁凸部２２ｂの間にわたって設けられている。
【００２２】
凸部２２には冷蔵庫の運転制御用の基板部が備えられている。この基板部は、基板収納部材３０によって構成され、この基板収納部材３０には複数種類の操作スイッチと接続された内部基板部３０ｂが収納され、表面には複数種類の操作スイッチを備えた操作部３０ａを有している。本実施例の操作部は複数の操作スイッチ３０ａ１、３０ａ２、３０ａ３とを備えて構成されている。この操作スイッチ３０ａによって内部基板部３０ｂが制御される。
【００２３】
基板収納部材３０は凸部２２に設置され、土手状の凸部２２の内部空間２２ｃに内部基板部３０ｂを位置させ、凸部２２の表面２２ｄに操作部３０ａ（操作スイッチ３０ａ１、３０ａ２、３０ａ３）を位置させている。３０ｃは基板収納部材３０と一体或いは別体に形成された係止爪部であり、この係止爪部３０ｃにより、基板収納部材３０を凸部２２に対し着脱可能に固定している。本実施例では、凸部２２の頂面部２２ｄに操作部３０ａが位置するように基板部を設置している。
【００２４】
内部基板部３０ｂは、図示しない冷蔵庫運転の主制御部と配線コード３０ｅを介して接続され、操作部３０ａで操作した内容が主制御部に通信されることによって、冷蔵庫の温度制御等の操作を可能としている。この配線コード３０ｅは凸部２２内に位置する内部基板部３０ｂから断熱部２０ｃ内を通って主制御部へと導かれる構成となっている。
【００２５】
この操作部３０ａは、側外縁凸部２２ｂの扉上方側に配置しており、冷蔵庫の使用者が扉を開いた際に、目視しやすく、かつ操作のしやすい位置としている。また、両側に備えられる側外縁凸部２２ｂのうち、ガスケット１９の位置する側の側外縁凸部に基板収納部材３０を配置している。すなわち、ヒンジ側ではなくガスケット１９側に位置させることによって、使用者が操作をしやすいだけではなく、冷蔵庫内の食品を取り出すときに食品と接触しにくくなるため、使用者が意図しない設定の変化を防ぐことができる。
【００２６】
ガスケット１９の位置する側の側外縁凸部に基板収納部材３０を配置する場合には、内部基板部３０ｂは、凸部２２ｂの頂面部２２ｄに位置する操作部３０ａの背面に沿って配置するか、あるいは、図２に示すように凸部２２ｂの内側の側面部、すなわち食品収納部２０ａ側に配設することが望ましい。本実施例の図２に示すように内部基板部３０ｂの幅が、凸部２２の頂面部２２ｄの幅よりも大きいときには、凸部２２ｂの内側の側面部に配設することが有効である。外側の側面部は食品の出し入れ時に食品との衝突が考えられ、また、半ドア等の熱漏洩時には最も外気の影響を受けやすい部分であることから、内側の側面部側に内部基板部３０ｂを配設することによって、食品の衝撃による基板の損傷や温度差による基板への露付を防止することができる。
【００２７】
なお、操作部３０ａの機能は、例えば、３０ａ１が冷凍室と冷蔵室の温度制御用スイッチであり、３０ａ２が冷凍室もしくは冷蔵室の急速冷却用スイッチであり、３０ａ３が冷蔵庫庫内の貯蔵食品映像を家庭内ネットワークに送信できる信号端子であることが望ましいが特にこれらに限定されるものでない。また、操作部のスイッチ３０ａ１、３０ａ２、３０ａ３はプッシュ式スイッチや回転式スイッチが望ましいが特にこれらに限定されるものでない。
【実施例２】
【００２８】
図３を用いて本発明の第二の実施例について説明する。第二の実施例の特徴とするところは、複数種類の操作スイッチの操作部を土手状の凸部の表面に横並びに設置した点である。つまり、図３において、２５ａ、２５ｂ、２５ｃは扉内壁に形成した複数の食品収納部であり、この複数の食品収納部を形成する複数の凸部２４、すなわち内側水平凸部２４ａ、下外縁凸部２４ｂ、側外縁凸部２４ｃ及び２４ｄによって食品収納部２５ａ、２５ｂ、２５ｃが形成されている。これらの複数の凸部２４のうち、水平に形成された内側水平凸部２４ａの表面に、複数種類の操作スイッチの操作部３１ａ（３１ａ１、３１ａ２、３１ａ３）を有する基板収納部材３１を設置している。したがって、操作部の各スイッチ３１ａ１、３１ａ２、３１ａ３を同じ高さに設定できるために、冷蔵庫使用者が目視し易い構成となる。
【００２９】
また、図３のように、操作部３１ａ（３１ａ１、３１ａ２、３１ａ３）の設置位置を、幅方向で扉内板のほぼ中央に位置させておけば、扉内板部品を、右開き扉用と左開き扉用とに共用できるために、製造コスト状有利な構造が得られる。
【実施例３】
【００３０】
本発明の第三の実施例について図４から図５により説明する。図４は本発明の第三の実施例を示す扉の斜視図であり、図５は図４のＢ−Ｂ線要部断面図である。第三の実施例の特徴とするところは、頭部が胴部より細くなった円柱形、あるいは角柱形の食品を貯蔵する場合、食品収納部の頭部収納位置相当部に生ずるデッドスペースを有効活用する例である。
【００３１】
図４において、扉内板と一体或いは別体に形成した凸部２６およびポケット２９で食品収納部２７ａが形成され、この食品収納部２７ａには、例えば、頭部２８ａが胴部２８ｂより細くなった円柱形、あるいは角柱形の食品２８が収納される。凸部２６の側外縁凸部のうち、食品２８の胴部２８ｂより細くなった頭部２８ａの収納位置相当部の高さには、膨部２６ａが設けられており、この膨部２６ａ内の基板収納空間に基板収納部材３２を設置してある。
【００３２】
基板収納部材３２は、図５に示すように、その内部基板部３２ｂを膨部２６ａ内の基板収納空間に設置し、その表面に有する複数種類の操作スイッチの操作部３２ａを、膨部２６ａの表面に設置してある。基板収納部材３２には係止爪部３２ｃが基板収納部材と一体或いは別体に形成され、この係止爪部３２ｃによって、基板収納部材３２を膨部２６ａに着脱可能に固定している。
【００３３】
扉の断熱部にはウレタン等の発泡断熱材２０ｆが配設されており、この発泡断熱材２０ｆが膨部２６ａによって形成される基板収納空間内に浸入すると内部基板部３２ｂの損傷につながることから、基板収納空間と断熱部との間を仕切るための仕切部材としてカバー３３を備えている。本実施例では、膨部２６ａの内面、すなわち基板収納空間の周囲面にカバー３３を嵌着して基板収納空間と断熱部との間を区切っている。なお、このカバー３３は、扉内板の断熱部側の裏面と略同一の平面となるように配設することが望ましい。このように配設することによってウレタン等の発泡断熱材の流動の抵抗を低減することができる。
【００３４】
また、カバー３３は、発泡断熱材２０ｆと基板収納空間との間を仕切るとともに、膨部２６ａの側面部をも覆うように配設しており、これによって、ウレタン等の発泡断熱材の基板収納空間への浸入をより効果的に防止できるだけでなく、膨部２６ａに貯蔵食品が当接して衝撃を受けても内部基板部３２ｂを保護している。この構成によれば、上述の実施例１のように、内部基板部を凸部（膨部２６ａ）の内側の側面部、すなわち食品収納部側に配設することに対しても衝撃保護効果を奏することとなり有効である。
【００３５】
また、カバー３３と基板部３２ｂとの間には空間を設けており、貯蔵食品が衝突して膨部２６ａに膨部２６ａが変形するほどの衝撃を受けたとしても、内部の基板部３２ｂに損傷を与えない構成としてある。なお、図４に示した膨部２６ａの、凸部２６よりの水平方向の膨らみ寸法Ｌ２は、貯蔵された食品の胴部２８ｂと頭部２８ａとの寸法差Ｌ３の大きさ程度により、適宜設定されることは自明である。
【実施例４】
【００３６】
次に本発明の第四の実施例について図６から図８により説明する。図６は本発明の第四の実施例を示す冷蔵庫の斜視図であり、図７は図６のＣ−Ｃ線要部断面図である。図８は本発明の第四の実施例を示す扉の斜視図である。
【００３７】
冷蔵庫の箱体５０は、開口前面にヒンジ５０ａ（５０ｂ）により開閉可能に軸支された観音開き式の扉６０（７０）を備えている。この観音開き式扉６０及び７０は図７に示すように、その内壁を構成する扉内板６１（７１）と、外板６３（７３）と、扉内板６１（７１）と外板６３（７３）との間に充填されたウレタン等の発泡断熱材６２（７２）とで構成されている。
【００３８】
以下、特に断りのある場合を除き、扉６０及び７０のうちの一方の扉６０を用いて説明するが、他方の扉７０についても同様である。なお、図８の括弧書きの符号は他の扉７０における相当部分を示すものである。
【００３９】
扉６０の内壁には、図８に示すように、扉内板６１と、この扉内板６１と一体或いは別体に形成した土手状の凸部６４、６５と、この凸部６４、６５に係止された下段ポケット６７ａ、上段ポケット６７ｂと、により食品収納部６０ａが形成される。本実施例の凸部６４、６５は、ヒンジ側の凸部６４と冷蔵庫中心線側の凸部６５とが互いに平行に鉛直方向に伸びて形成されており、扉内板６１の側外縁凸部として設けられている。
【００４０】
６８は食品収納部６０ａに収納された食品であり、ここで示す食品６８は、その頭部６８ａが胴部６８ｂよりＬ７寸法だけ細くなった円柱形、あるいは角柱形の食品である。
【００４１】
凸部６５の食品収納部６０ａ側には後述する基板部３４ｂを設置可能となるように凸部６５と一体或いは別体に形成した膨部６５ｂを備えている。この膨部６５ｂは、食品６８の頭部６８ｂの収納位置相当部に位置するように設置されている。なお、膨部６５ｂの凸部６５よりの突出寸法Ｌ５は、食品頭部６８ａと胴部胴部６８ｂの差寸法Ｌ７より小さく設定してあることは自明である。凸部６５の食品収納部６０ａ側の反対側であり反ヒンジ側の側部、すなわち他の扉７０と対向する側部には、表面に複数種類の操作スイッチの操作部３４ａを有する基板収納部材３４が設けられている。この基板収納部材３４は膨部６５ｂ内に基板部３４ｂを備えており、図示しない主制御部と後述する配線コード３４ｌを介して接続されている。
【００４２】
次に、基板収納部材３４の設置位置を図７により説明する。凸部６５の反ヒンジ側側面６５ａには基板収納部材３４の複数種類の操作スイッチの操作部３４ａが設置されている。この操作部３４ａは、観音開き式の両扉６０及び７０の合わさり目を開閉可能に閉塞するガスケット６６ａ（７６ａ）及び６６ｂ（７６ｂ）よりも冷蔵室内側となるように配置される。
【００４３】
なお、ガスケット６６ａあるいは６６ｂから前述の操作部３４ａまでの間隙Ｆ１（Ｆ２）寸法は、観音開き式扉の一方の扉６０のみを開放したときに、閉鎖されたままのもう一方の扉７０のガスケット７６ａあるいは７６ｂと、操作部３４ａが当接しない寸法に設定してある。
【００４４】
基板収納部材３４の基板部３４ｂからは冷蔵庫運転制御用の主制御部（図示せず）と基板と３４ｂとを繋ぐ配線コード３４ｌが伸びており、扉６０のヒンジ軸に設けられる貫通孔５０ｃを通って冷蔵庫箱体に備えられる主制御部へと接続される。この配線コード３４ｌにより、操作部３４ａからの指令が主制御部に通信される。
【００４５】
なお、操作部３４ａは図８に示すように、各々複数の操作部３４ａ１、３４ａ２、３４ａ３（４４ａ１、４４ａ２、４４ａ３）を有している。この操作部の機能は、例えば、３４ａ１が冷凍室の温度制御用スイッチであり、４４ａ１が冷凍室の急速冷凍用スイッチであり、３４ａ２が冷蔵室の温度制御用スイッチであり、４４ａ２が冷蔵室の急速冷却用スイッチであり、３４ａ３が冷蔵庫庫内の貯蔵食品を撮影するカメラを接続する接続端子であり、４４ａ３が冷蔵庫庫内の貯蔵食品映像を家庭内ネットワークに送信できる信号端子であることが望ましいが特に限定するものでない。
【００４６】
また、図７に示す操作部３４ａ１、３４ａ２、３４ａ３と操作部４４ａ１、４４ａ２、４４ａ３との機能を共用化して、どちらか一方の扉のみに操作部を設置しても良い。さらには、操作部３４ａと操作部４４ａとをまったく同様の機能として同じものを両扉に設置してもよい。この場合、使用者はいずれの扉を開いたときでも同様の操作をすることが可能である。また、操作部はプッシュ式スイッチや回転式スイッチが望ましいが特に限定するものでない。
【００４７】
以上のように本発明は、観音開き式扉が特有に有するデッドスペース、つまり、図７に示す、反ヒンジ側の土手状の凸部側壁６５ａと、この土手状の凸部側壁６５ａと対向して設置された、もう一方の扉の反ヒンジ側の土手状の凸部側壁７５ａとの間の空間Ｋに生じるデッドスペースを有効に利用するものである。
【００４８】
本実施例によれば、従来利用されていなかった観音開き式扉の対向する扉内板に形成した土手状凸部間の庫内空間を有効利用できる冷蔵庫を提供できる。また、観音開き式扉のうちの一方の扉を開放するだけで操作部を操作でき、また、扉の開放角度を小さくしても操作部を操作できるので、操作時に冷蔵庫庫内冷気が流れ出す損失の少ない冷蔵庫構造を提供できる。
【実施例５】
【００４９】
次に本発明の第五の実施例について図９から図１０により説明する。図９は本発明の第五の実施例を示す扉の要部断面図であり、図１０は図９のＤ−Ｄ線要部断面図である。第五の実施例の特徴とするところは、ラック式食品収納部に貯蔵した食品の背面と、扉内板との間に生じる間隙に、基板収納部材の操作部を設置して、従来利用されていなかった、扉内板と食品の背面との間に生じるデッドスペース部を有効活用できるものである。
【００５０】
以下詳細を図９により説明する。扉８０の内壁を構成する扉内板８２には下段ポケット８５が扉内板８２の下外縁凸部８２ａに支持されている。この下段ポケット８５の底部を構成する食品置載部８５ａは、食品の出し入れを容易とするために、食品８７を傾斜して貯蔵するように水平面に対してΘ１だけ傾斜して設置されている。符号８０ａで示した部分はラック式の食品収納部であり、この食品収納部８０ａの底部は下段ポケット８５の底部である食品置載部８５ａによって構成されている。すなわち、ラック式食品収納部８０ａに貯蔵した食品８７の出し入れが容易となるように、ラック式食品置載部８５ａの水平面に対する傾斜角度Θ１を設定されている。したがって、貯蔵された食品８７と扉内板の背面壁８２ｂは取り出し易い角度Θ１となって貯蔵される。
【００５１】
下段ポケット８５によって構成される食品収納部８０ａの上部には上段ポケット８６が設置され、上段ポケット８６は、前述の傾斜貯蔵された、頭部が胴部より細くなった円柱形或いは角柱形の食品８７が、扉開閉による衝撃で扉内板側に傾かないように、扉内板８２と食品８７の頭部８７ａとの間に位置する壁部８６ａを備えている。この壁部８６ａによって、食品８７の頭部８７ａのブレ止めを防止することができる。したがって、ラック式食品収納部８０ａに貯蔵した食品８７の背面と、扉内板の背面壁８２ｂとの間にはデッドスペース８０ｌが生じることとなる。
【００５２】
本実施例では、このデッドスペース８０ｌ内に冷蔵庫の運転制御用の基板収納部材３６を設置され、扉内板８２のデッドスペース８０ｌ内に相当する位置に凸部８２ｃを備え、この凸部８２の頂面部に操作部３６ａが位置するように配設されている。この凸部８２ｃの扉内板８２からの高さは、食品収納部８０ａに収納される食品８７の高さ及び形状と、傾斜角度Θ１と、食品置載部８５ａからの距離とによって定められる。基板収納部材３６は、その表面に該冷蔵庫庫内温度の温度調節機能等を有する複数種類の操作スイッチの操作部３６ａ（３６ａ１、３６ａ２、３６ａ３）を有している。操作部３６ａ（３６ａ１、３６ａ２、３６ａ３）は、上述のブレ防止壁部８６ａの下端８６ｂより、食品の貯蔵条件変化等により水滴が落下しても、操作部３６ａ（３６ａ１、３６ａ２、３６ａ３）に水滴が付着しないように、この下端８６ｂよりＬ９寸法だけ離隔して設置されている。なお、Ｌ９寸法は、水滴が前記下端８６ｂに滞留して玉状になっても、前述の操作部３６ａ（３６ａ１、３６ａ２、３６ａ３）に付着しない寸法に設定してある。また、ブレ防止壁部８６ａは上段ポケット８６の底面部を使用して形成されており、本実施例では、ブレ防止壁部の下端８６ｂは、上段ポケットの底面部よりも下側に突設した形状としており、水滴が操作部３６ａ側に侵入するのを防止している。
【００５３】
基板収納部材３６の基板部３６ｂは、凸部８２ｃの頂面部を挟んで操作部３６ａの裏側、すなわち、凸部８２ｃ内の空間３７に設けられている。この基板収納部材３６が配設される空間３７は、図１０に示すように扉の断熱部８９との間に仕切部材３８を有しており、ウレタン等の発泡断熱材から基板部３６ｂが保護されている。
【００５４】
また、操作スイッチの操作部３６ａ（３６ａ１、３６ａ２、３６ａ３）は、上述のようにデッドスペース８０ｌに相当する位置に配設されるため、収納される食品８７の裏側に位置することとなる。そこで、これらの操作部３６ａの配設位置は、操作時に食品８７が邪魔にならない位置とすることが望ましい。本実施例では、この食品収納部８０ａに収納される代表的な食品（例えば、ペットボトル等）の大きさを考慮して、図１０に示すように、複数の貯蔵食品の、食品同士の境目８７ｂ１、８７ｂ２、８７ｂ３に相当する位置に操作部３６ａが位置するように設定する。このような構成によれば、境目８７ｂ１、８７ｂ２、８７ｂ３から目視し易くかつ、指先等で操作され易い構成とすることができる。
【００５５】
以上のように、本発明の各実施例によれば、冷蔵庫運転制御を行う操作部を内箱側壁面に設けず、扉の内壁を構成し、食品収納部を形成する扉内板に、基板収納部材の操作部を設けたことにより、操作部の目視が良好となり、また、操作性の良い冷蔵庫を提供することができる。
【００５６】
また、冷蔵庫扉を開放したときに、扉内壁を構成する扉内板に設けられた操作部が、冷蔵庫の使用者側に近づくこととなるため、操作部の目視がし易い冷蔵庫を提供できる。また、操作者の手を冷蔵庫箱体内に挿入しなくても良いので、操作部の操作し易い冷蔵庫を提供できる。
【００５７】
また、内箱側に貯蔵した食品の出し入れ時に、内箱側壁庫内側に余計な突出部がないので、貯蔵食品を傷める懼れの少ない冷蔵庫を提供できると共に、扉外表面に操作部を設置する必要がないため、外観意匠上制約の少ない構成を提供できる。
【００５８】
また、貯蔵食品を収納したときに、貯蔵食品によりデッドスペースとなった空間の有効活用を実現できる冷蔵庫を提供できる。
【図面の簡単な説明】
【００５９】
【図１】本発明の第一の実施例を示す扉の斜視図。
【図２】図１のＡ−Ａ線要部断面図。
【図３】本発明の第二の実施例を示す扉の斜視図。
【図４】本発明の第三の実施例を示す扉の斜視図。
【図５】図４のＢ−Ｂ線要部断面図。
【図６】本発明の第四の実施例を示す冷蔵庫の斜視図。
【図７】図６のＣ−Ｃ線要部断面図。
【図８】本発明の第四の実施例を示す扉の斜視図。
【図９】本発明の第五の実施例を示す扉の要部断面図。
【図１０】図９のＤ−Ｄ線要部断面図。
【図１１】従来方式の内箱側壁面の要部断面図。
【図１２】従来方式の扉要部断面図。
【符号の説明】
【００６０】
２０…扉、２０ａ…食品収納部、２１…扉内板、２２…凸部、３０…基板収納部材、３０ａ…操作スイッチの操作部、３０ｂ…基板部。
【図１】
2006046771.tif 000003
【図２】
2006046771.tif 000004
【図３】
2006046771.tif 000005
【図４】
2006046771.tif 000006
【図５】
2006046771.tif 000007
【図６】
2006046771.tif 000008
【図７】
2006046771.tif 000009
【図８】
2006046771.tif 000010
【図９】
2006046771.tif 000011
【図１０】
2006046771.tif 000012
【図１１】
2006046771.tif 000013
【図１２】
2006046771.tif 000014